(57)【特許請求の範囲】
【請求項１】
モーアデッキの内部に互いに連通した複数の切断室を横方向に並列し、各切断室に縦軸心周りに回転駆動される回転ブレードを装備したモーアにおいて、
前記切断室の内部上方に、切断室内を旋回流動する刈草をブレード回転中心側に向けて案内する刈草ガイドを縦壁状に設けるとともに、
前記刈草ガイドにおける前記刈草をブレード回転中心側に向けて案内する面とは反対側の面と、前記切断室周壁との間に空間が形成され、この空間に刈草が侵入するのを防止する遮蔽部材を設けてあることを特徴とするモーア。
【請求項２】
前記遮蔽部材は、
前記空間の後向き開口を塞ぐ後壁と、
前記空間を下方から塞ぐ底板と、を備える請求項１記載のモーア。
【請求項３】
前記遮蔽部材を前記刈草ガイドに高さ調節可能に取り付け支持してある請求項１又は請求項２記載のモーア。
【発明の詳細な説明】
【技術分野】
【０００１】
本発明は、主として芝刈り用に利用されるモーアに関する。
【背景技術】
【０００２】
芝刈り用のモーアとしては、天井面が扁平に形成されたフラットデッキ型のモーアデッキの内部に、縦軸心周りに回転駆動される複数の回転ブレードを並列配備するとともに、モーアデッキの内方前部に、回転ブレードの先端回動軌跡に沿った形状の前部バッフルプレートを設けて、刈草を繰り返し持ち回り細断してモーア通過跡に放置してゆくマルチング形態での草刈り作業を行えるように構成したものが知られている（例えば、特許文献１参照）。
【特許文献１】特開２００５−２５３３８７号公報
【発明の開示】
【発明が解決しようとする課題】
【０００３】
マルチング形態での草刈り作業においては、各回転ブレードを装備した細断室を互いに独立させることで、各切断室で独立した刈草の持ち回り細断を行うのであるが、切断室の周壁からブレード回転中心側に向かう刈草ガイドを縦壁状に設け、切断室内を旋回流動する刈草をブレード回転中心側に案内して失速落下させることで、細断性能を一層高める手段を導入することも行われている。
【０００４】
しかし、従来構造においては、板材からなる刈草ガイドがモーアデッキの天板部に縦壁状に取り付けられていたために、前部バッフルプレートによって形成された切断室周壁と刈草ガイドとの間に平面視で楔形の空間が存在しており、この空間に刈草の一部が入り込んで泥土と共に付着し、草刈り作業を終える頃には大きい塊となって固着してしまうことがある。このように固化した塊は、洗浄水をかけた程度では除去することができず、バールなどで突き崩すような処理が必要となり、草刈り作業後のモーア清掃に手間がかかるものとなっていた。
【０００５】
本発明は、このような点に着目してなされたものであって、草刈り作業後のモーア清掃を容易に行えるようにすることを目的としている。
【課題を解決するための手段】
【０００６】
第１の発明は、モーアデッキの内部に互いに連通した複数の切断室を横方向に並列し、各切断室に縦軸心周りに回転駆動される回転ブレードを装備したモーアにおいて、
前記切断室の内部上方に、切断室内を旋回流動する刈草をブレード回転中心側に向けて案内する刈草ガイドを縦壁状に設けるとともに、
前記刈草ガイドにおける前記刈草をブレード回転中心側に向けて案内する面とは反対側の面と、前記切断室周壁との間に空間が形成され、この空間に刈草が侵入するのを防止する遮蔽部材を設けてあることを特徴とする。
【０００７】
上記構成によると、刈草ガイドと切断室周壁との間には、刈草や土が侵入して固着する空間が存在せず、草刈り作業の後、モーアデッキ内面に付着した刈草や土は洗浄するだけでも容易に除去することができる。
従って、第１の発明によると、塊になった付着物をバールなどで突き崩すような手間は不要となり、草刈り作業後のモーア清掃を容易に行えるようになった。
【０００８】
第２の発明は、上記第１の発明において、
前記遮蔽部材は、
前記空間の後向き開口を塞ぐ後壁と、
前記空間を下方から塞ぐ底板と、を備えるものである。
【０００９】
【００１０】
第３の発明は、上記第１又は第２の発明において、
遮蔽部材を刈草ガイドに高さ調節可能に取り付け支持してあるものである。
【００１１】
上記構成によると、刈草の量、湿り具合、地面からの土の舞い上がり具合、などの作業条件に応じて遮蔽部材の下面の高さを変更し、遮蔽部材の下面に沿って流動する刈草を円滑に流動させて持ち回り細断することができる。
【発明を実施するための最良の形態】
【００１２】
図１に、本発明に係るモーアＭを装着した乗用型芝刈り機の全体側面が、図２に全体平面がそれぞれ示されている。この乗用型芝刈り機は、キャスタ輪に構成された左右一対の前輪１と左右一対の駆動後輪２を備えた走行機体３における前後輪間の下方に、モーアＭが四連リンク構造のリンク機構４を介して吊り下げ支持された構造となっている。リンク機構４を油圧シリンダ５によって昇降操作することで、モーアＭを略平行に昇降できるよう構成されるとともに、走行機体３の後部にエンジン６が搭載され、その前部に運転座席７および門形の転倒保護フレーム（ＲＯＰＳ）８が配備されている。
【００１３】
詳細な構造の説明は省略するが、エンジン６の出力はカウンターケース９に入力されて走行系と作業系とに分岐され、走行系の動力はカウンターケース９の左右両側に配備された図示されない左右一対の油圧式の無段変速装置（ＨＳＴ）に入力され、その変速出力が減速ケース１０を介して左右の後輪２に伝達されるようになっている。左右の後輪２を駆動する無段変速装置は、運転座席７の左右両脇に前後揺動操作可能に配備された左右一対の走行レバー１１を各別に揺動操作することで、左右の後輪２をそれぞれ独立して無段階に前後進変速するよう構成されており、左右の走行レバー１１の操作具合によって直進前後進、ピボットターン、および、スピンターンを任意に行うことができるようになっている。カウンターケース９で分岐された作業系の動力は、ケース前面下部に突設されたＰＴＯ軸１２から前方に向けて出力されてモーアＭに軸伝達されるようになっている。
【００１４】
図３および図４に示すように、モーアＭは、下向きに開放されたモーアデッキ１５の内部に、縦軸心ｐ周りに回転駆動される３枚の回転ブレード１６Ｌ，１６Ｃ，１６Ｒが、中央の回転ブレード１６Ｃが少し前方に偏位するよう平面視で三角配置されて軸支された構造となっており、走行機体３が直進移動した際に、隣接する回転ブレード１６Ｌ，１６Ｃ，１６の先端回動軌跡の左右端が前後に重複し、刈残しの無い草刈りが行えるようになっている。
【００１５】
ＰＴＯ軸１２から取り出された作業用動力が、モーアデッキ１５の中央上面に配備されたベベルギヤケース２１に屈曲および伸縮自在な軸伝動機構２２を介して伝達され、ベベルギヤケース２１で縦軸回転に変換された回転動力が中央の回転ブレード１６Ｃの回転軸２３Ｃに伝達されるとともに、回転軸２３Ｃと左右の回転ブレード１６Ｌ，１６Ｒの回転軸２３Ｌ，２３Ｒとがベルト２４によって巻き掛け連動され、各回転ブレード１６Ｌ，１６Ｃ，１６Ｒにおける回転軌跡の前半部が排出口ｄ側に向かうように、各回転ブレード１６，１７，１８が同方向（上面視で時計回り方向）に等速で回転駆動されるようになっている。モーアデッキ１５の周囲には障害物乗り越え用の遊転輪（アンチスキャルプローラ）２５が配備されており、上方への移動融通をもってリンク機構４に吊り下げ支持されたモーアＭに地上の斜面や隆起部などに接近すると、遊転輪２５のいずれかが隆起部などに乗り上がることでモーアＭが相対的に持ち上げられて、モーアデッキ１５が直接に接触して地面を削ることが回避されるようになっている。
【００１６】
例示したモーアＭは、各回転ブレード１６Ｌ，１６Ｃ，１６Ｒで刈草を持ち回り細断してモーア通過跡に放置してゆくマルチング形態に構成されている。すなわち、モーアデッキ１５の内部前側には、各回転ブレード１６Ｌ，１６Ｃ，１６Ｒにおける先端回動軌跡の前側部分に沿って波形に屈曲された前部バッフルプレート１８（切断室周壁に相当）と、先端回動軌跡の後側部分に沿って波形に屈曲された後部バッフルプレート１９とが縦壁状に垂設され、各回転ブレード１６Ｌ，１６Ｃ，１６Ｒの切断室２６が互いに独立して形成されている。
【００１７】
各切断室２６における前部には刈草ガイド２７が縦壁状に設けられている。刈草ガイド２７は、各切断室２６における前方周壁の左右中心部から斜め後方に向けて延出されており、各切断室２６内の前半部を旋回流動する刈草をブレード回転中心側に向けて案内するように、後方部位ほどブレード回転中心側に近づくよう内向きに凹入湾曲されている。
【００１８】
このように、互いに独立した切断室２６内で刈草を持ち回り流動させるとともに、刈草ガイド２７によって刈草をブレード回転中心側に向けて案内して失速落下させることで、各切断室２６内での刈草の持ち回り細断性能が高められている。
【００１９】
図５，図６に示すように、刈草ガイド２７と前部バッフルプレート１８の間には平面視で楔形の空間が存在することになり、この楔形空間に刈草が侵入するのを防止する遮蔽部材２８が取り付けられている。この遮蔽部材２８は、図７に示すように、刈草ガイド２７の外側面に沿う連結壁２８ａと、楔形空間の後向き開口を塞ぐ後壁２８ｂと、楔形空間を下方から塞ぐ底板２８ｃを備えており、刈草ガイド２７と連結壁２８ａとを左右２箇所でボルト締結するよう構成されている。刈草ガイド２７には、連結孔２７ａが上下２組備えられており、図６，図７の二点鎖線，図８に示すように、後壁２８ｂの高さの異なった複数種の遮蔽部材２８を上下いずれかの連結孔２７ａに取り付けることで、遮蔽部材２８の底面高さを変更調節することができるようになっている。
【００２０】
刈草ガイド２７の下端辺には、後方ほど浅い凹部２７ｂが形成されており、図８に示すように、遮蔽部材２８の底面を高くして取り付け際に、刈草ガイド２６で後方に流動案内される刈草の一部を凹部２７ｂを通って遮蔽部材２８の下方に流出させ、刈草が切断室２６のブレード回転中心側に向けて過剰に案内されることを緩和し、切断室２６内での中心側および外周側で均一な細断が行われる。
【００２１】
なお、前部バッフルプレート１８および刈草ガイド２７を取外すことで、各回転ブレード１６Ｌ，１６Ｃ，１６Ｒで刈取った刈草をモーアデッキ１５の前方周壁１５ａで右方に案内し、デッキ右端に開口された排出口ｄから排出するサイドディスチャージ形態での草刈り作業を行うことができる。
【００２２】
〔別実施形態〕
本発明は、以下のような形態で実施することもできる。
（１）遮蔽部材２８を樹脂成形されたブロック状のものとすることもできる。
（２）遮蔽部材２８を前部バッフルプレート１８（切断室周壁）に取り付けたり、前
部バッフルプレート１８（切断室周壁）と刈草ガイド２６とに取り付けてもよい。
（３）刈草ガイド２７と遮蔽部材２８とを一体形成して実施することもできる。
【図面の簡単な説明】
【００２３】
【図１】乗用型芝刈り機の全体側面図
【図２】乗用型芝刈り機の全体平面図
【図３】モーアの平面図
【図４】モーアの横断平面図
【図５】モーアの縦断側面図
【図６】刈草ガイド部の側面図
【図７】刈草ガイド部を斜め下方から見上げた分解斜視図
【図８】別仕様に構成された刈草ガイド部の側面図
【符号の説明】
【００２４】
１５                  モーアデッキ
１６Ｌ                回転ブレード
１６Ｃ                回転ブレード
１６Ｒ                回転ブレード
１８                  切断室周壁
２６                  切断室
２７                  刈草ガイド
２８                  遮蔽部材
２８ｂ 後壁
２８ｃ 底板
ｐ                    縦軸芯
【図１】
0005022242.tif 000002
【図２】
0005022242.tif 000003
【図３】
0005022242.tif 000004
【図４】
0005022242.tif 000005
【図５】
0005022242.tif 000006
【図６】
0005022242.tif 000007
【図７】
0005022242.tif 000008
【図８】
0005022242.tif 000009